(57)【要約】【課題】従来の結束具は複雑でコスト高であったので、きわめてシンプルにして機能的で、且つ、扱いも容易な結束具を提供する。【解決手段】結束具１は、適度な大きさの基板２の一端に一定の深さの切り溝穴３を設け、その切り溝穴３の入り口を三角状に欠いたガイド口４を形成して成る対向側に穴５を設け、その穴５に丈夫な結び紐６を取り付けて成る結束具１を構成する。【選択図】図１
2008213931.tif 000002
【特許請求の範囲】
【請求項１】
袋の口や物品を縛れる結束具であって、基板の一端に切り溝穴を設けて成る前記基板の他部に、結び紐を取り付けて成る構成を特徴とする簡易結束具。
【請求項２】
前記する切り溝穴を、二本設けて成る請求項１に記載する簡易結束具。
【請求項３】
前記する基板の外形状が、キャラクター状である請求項１又は請求項２に記載する簡易結束具。
【請求項４】
前記する結び紐に、留め具を介在した請求項１に記載する簡易結束具。
【請求項５】
前記する基板に、広告表示用の表示スペース欄を設けた請求項１又は請求項２に記載する簡易結束具。
【発明の詳細な説明】
【技術分野】
【０００１】  本発明は、きわめてシンプルな構成でありがら、袋の口を閉じたり物品を縛ったりすることができるとともに、開封したり解くことが容易にできる結束具に関する。
【背景技術】
【０００２】  従来より、袋の口をクリップで閉じたり、紐や専用器具を用いて物品を束ねたり縛る器具は様々あり、用途や目的に応じて使い分けていた。【０００３】  また、一度開けた食品袋を再び閉じて再度開けるのに便利な器具として、袋に固定するクリップに紐状の物を設置し、その紐状の物により袋を閉じて、紐状の物の自由端を固定する切り込みを、前記クリップに設けて成る袋を開閉する器具がある。（例えば、特許文献１参照）【特許文献１】特許公開２００７−８５７６公報
【発明の開示】
【発明が解決しようとする課題】
【０００４】  上記するような方法や器具が提供されており、クリップで袋の口は閉じられるが、複数の物や厚い物は挟むことはできなかった。また器具を用いて紐で縛る方法は、使い方が面倒な事が多いなどの不便があった。【０００５】  さらに、特許公開２００７−８５７６公報による技術は、クリップの一方の挟み手に切り込みを設けるとともに他方の挟み手に紐を取り付け、使用する時は、物品の一部をクリップで挟み止めてから、紐を掛け回して後に前記クリップの切り込みに挟むことで縛るものであるが、クリップで挟めない厚い物には使えないなどの不便があった。
【課題を解決するための手段】
【０００６】  本発明は上記するような従来の技術の不便や欠点を解消するために、請求項１においては、基板の一端に所定の深さの切り溝穴を設けて成る前記基板の他部に結び紐を取り付けて後、その結び紐を前記基板の切り溝穴に差し込むことで簡単に縛れる結束具とする。【０００７】  請求項２においては、前記する切り溝穴を二本設けることで、基板を１周してから結び紐を差し入ることで強固に縛れるものとする。【０００８】  請求項３においては、前記する基板の外形状をキャラクター形にすることで、楽しさと形状の違いで物品を見分けられるものとする。【０００９】  請求項４においては、前記する結び紐に留め具を介在することで、結び紐が緩みにくくする。【００１０】  請求項５においては、前記する基板に、広告表示用の表示スペース欄を設けることで、宣伝文など表示できるものとする。
【発明の効果】
【００１１】  本発明による結束具は、基板の一部に切り溝穴を設け、他部に結び紐を取り付けたシンプルな構成であるので、きわめて安価なコストで製造できるものである。また、使い方は、物品に結び紐を掛け回してから基板の切り溝穴に差し込むだけで容易に縛ることができ、且つ、二本切り溝穴があるタイプは、基板を一周してから隣の切り溝穴に差し込むと、さらに強固に縛れるので緩むことが無い。また紐を解く場合は切り溝穴から紐を取り外すだけで簡単にできる。尚、腰の強い袋の口を折り返した場合は、切り溝穴に差し込んで閉じることもできる。【００１２】  また、第２実施形態のように広告表示スペース欄を設けたタイプは、企業名など表示できるのでノベルティ商品としても活用できる。さらに第３の実施形態におけるタイプは、基板がキャラクター形状であるのでユニークであるとともに、基板の形状で縛った袋の中身や物品が分るので確認が容易である。さらに、結び紐は等間隔の目盛り模様であるので、簡単なメジャーとしても使えるなどシンプルにして機能的な簡易な結束具を提供できる。
【発明を実施するための最良の形態】
【００１３】  本発明による結束具の第１の実施形態を図１に示す斜視図と図２に示す使用例図で説明する。第１の実施形態による結束具１は、約縦３０ミリ、横２５ミリ以上の大きさで厚さ１ミリ以上の基板２の一端に、一定の深さの切り溝穴３を設け、その切り溝穴３の入り口を三角状に欠いたガイド口４を形成して成る対向側に穴５を設け、その穴５に長さ約２００ミリ以上の長さで、且つ、丈夫な結び紐６を取り付けて成る結束具１を構成する。【００１４】  第１実施形態による結束具１は、基板２にガイド口４付き切り溝穴３を設けているので、例えば、図２のように袋７の口を縛る時は、結び紐６を物品に１〜２周掛けてから基板２の切り溝穴３に差し込むだけで留められ、解く時は取り外すだけで簡単である。【００１５】  第２の実施形態を図３に示す斜視図で説明する。第２の実施形態における基板２の基本形態は前記第１の実施形態と同じであるが、第２の実施形態は基板２に設ける切り溝穴３，３は二本とし、その入り口には同様に二つのガイド口４，４を設けるとともに、その対向側の基板２端部に穴５付き突片８を設けた前記の穴５に結び紐６を取り付けるとともに、前記基板２の下部面を表示スペース欄９とし、その表示スペース欄９に、商店や企業等の文字表示１０をして成る結束具１を構成する。【００１６】  第２実施形態による結束具１は、基板２に設ける切り溝穴３を二本設けているので、結び紐６を基板２に掛け回してから隣の切り溝穴３に差し込むことで緩むことなく確りと結べる。【００１７】  第３の実施形態を図４に示す斜視図で説明する。第３の実施形態による結束具１の基板２Ａの形が前記実施形態と異なり、且つ、結び紐６Ｂはメジャー機能付き紐である。まず、基板２Ａは表面に目や口など表示した動物などのキャラクター形状で、その顔模様の口部分から一定の深さのガイド口４付き切り溝穴３を設けて成る対向側の頭部分に、１センチ間隔に交互に白黒模様を施した目盛り模様１１付き結び紐６Ｂを取り付けるとともに、その結び紐６Ｂに、少しきつめでスライドする留め具１２を介在した端部に結びコブ１３を作って成る結束具１を構成する。【００１８】  第３実施形態においては、基板２Ａの形状がキャラクター状を成してユニークであり、且つ、結び紐６Ｂは１センチ間隔に白黒の目盛り模様１１を施しているので、メジャー機能を有するものとなる。【００１９】  本発明の結束具１における基板２は板状であるが、切り溝穴３が設けられれば板状以外でもよい。また切り溝穴３は直状であるが蛇行した溝穴でも構わない。さらに結び紐６，６Ｂを基板２に取り付け方法は、丈夫であれば接着や他の方法でもよい。また、切り溝穴３は差し込む結び紐６，８Ｂがきつく嵌る幅なら狭くても広くてもよいし、結び紐６，６Ｂの長さも限定するものではない。
【図面の簡単な説明】
【００２０】
【図１】本発明の結束具の第１の実施形態を示す斜視図である。
【図２】第１の実施形態の結束具の使用例図を示す参考図である
【図３】第２の実施形態の結束具を示す斜視図である。
【図４】第３の実施形態を示す斜視図である。
【符号の説明】
【００２１】  １  結束具  ２  基板  ２Ａ  基板  ３  切り溝穴  ４  ガイド口  ５  穴  ６  結び紐  ６Ｂ  結び紐  ７  袋  ８  突片  ９  表示スペース欄  １０  文字表示  １１  目盛り模様  １２  留め具  １３  結びコブ
【図１】
2008213931.tif 000003
【図２】
2008213931.tif 000004
【図３】
2008213931.tif 000005
【図４】
2008213931.tif 000006